【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
担持オレフィン重合前駆物質の形成方法であって、式Ｒ１ｎＭの有機金属化合物と、ヒドロキシル基を有する無機酸化物またはヒドロキシル基を有する有機ポリマーである担体と、活性化されたときに活性オレフィン重合触媒を形成する、第８〜１０族遷移金属と中性二座配位子との錯体とを接触させる工程を含み、
上式中、
各Ｒ１は、独立に水素、ヒドロカルビルまたは置換ヒドロカルビルであり、
ｎは２〜４の整数であり、およびＭの酸化数であり、
Ｍは金属であり、ならびに
前記中性二座配位子は、前記有機金属化合物と容易に反応する官能基を含有しないこと、
前記担体は担体−活性剤を含有しないこと、および
前記前駆物質は不活性であること
を条件とすることを特徴とする方法。
【請求項２】
前記中性二座配位子が、
【化１】
2008531835.tif 000001
であり、
上式中、
ＺはＯまたはＮ−Ｒ１３であり、
Ｒ１３およびＲ１６は、イミノ窒素原子に結合した原子が、該原子に結合した少なくとも２個の炭素原子を有することを条件とする、それぞれ独立にヒドロカルビルまたは置換ヒドロカルビルであり、
Ｒ１４およびＲ１５は、それぞれ独立に水素、ヒドロカルビル、置換ヒドロカルビル、不活性官能基、ヘテロ原子に連結した一価基であるか、または、Ｒ１４およびＲ１５が合一して環を形成し、および
前記置換ヒドロカルビル基の置換基は不活性官能基の群から選択される
ことを特徴とする請求項１に記載の方法。
【請求項３】
前記二座配位子が、
【化２】
2008531835.tif 000002
であることを特徴とする請求項２に記載の方法。
【請求項４】
前記担持オレフィン重合前駆物質を活性化して、活性化された担持重合触媒を生成する工程をさらに含むことを特徴とする、請求項１、２または３のいずれか一項に記載の方法。
【請求項５】
前記活性化担持重合触媒を少なくとも１種の重合性オレフィンと接触させてポリオレフィンを生成する工程をさらに含むことを特徴とする、請求項４に記載の方法。
【手続補正２】
【補正対象書類名】明細書
【補正対象項目名】０００９
【補正方法】変更
【補正の内容】
【０００９】
【特許文献１】米国特許第６，４１０，７６８号明細書
【特許文献２】米国特許第６，５８６，３５８号明細書
【特許文献３】米国特許出願公開第２００２／０１８７８９２号明細書
【特許文献４】米国特許第６，１８４，１７１号明細書
【特許文献５】米国特許第６，３９９，５３５号明細書
【特許文献６】米国特許第６，６８６，３０６号明細書
【特許文献７】米国特許第５，８８０，２４１号明細書
【特許文献８】米国特許第６，１９４，３４１号明細書
【特許文献９】米国特許第５，９３２，６７０号明細書
【特許文献１０】米国特許第５，７１４，５５６号明細書
【特許文献１１】米国特許第６，１０３，６５８号明細書
【特許文献１２】国際公開第９８／４７９３４号パンフレット
【特許文献１３】国際公開第９８／４０４２０号パンフレット
【特許文献１４】国際公開第００／０６６２０号パンフレット
【特許文献１５】国際公開第００／１８７７６号パンフレット
【特許文献１６】国際公開第００／５０４７０号パンフレット
【特許文献１７】国際公開第０１／４２２５７号パンフレット
【特許文献１８】国際公開第００／５９９１４号パンフレット
【特許文献１９】国際公開第０１／４２２５７号パンフレット
【特許文献２０】国際公開第００／０４２２５７号パンフレット
【特許文献２１】米国特許第５，８５２，１４５号明細書
【特許文献２２】米国特許第６，１１４，４８３号明細書
【特許文献２３】米国特許第６，５２１，７２４号明細書
【特許文献２４】国際公開第９７／４８７３５号パンフレット
【特許文献２５】国際公開第９８／５６８３２号パンフレット
【特許文献２６】国際公開第００／２２００７号パンフレット
【特許文献２７】国際公開第００／５０４７５号パンフレット
【非特許文献１】Ｗ．ベック（Ｗ．Ｂｅｃｋ）ら著、Ｃｈｅｍ．Ｒｅｖ．、ｖｏｌ．８８、１４０５〜１４２１ページ（１９８８年）
【非特許文献２】Ｓ．Ｈ．ステアズ（Ｓ．Ｈ．Ｓｔａｒｅｓ）著、Ｃｈｅｍ．Ｒｅｖ．、ｖｏｌ．９３、９２７〜９４２ページ（１９９３年）
【手続補正３】
【補正対象書類名】明細書
【補正対象項目名】００３５
【補正方法】変更
【補正の内容】
【００３５】
によって表され、上式中、
ＺはＯ（酸素）またはＮ−Ｒ１３であり、
Ｒ１３、およびＲ１６は、イミノ窒素原子に結合した原子が、該原子に結合した少なくとも２個の炭素原子を有することを条件とする、それぞれ独立にヒドロカルビルまたは置換ヒドロカルビルであり、
Ｒ１４およびＲ１５は、それぞれ独立に水素、ヒドロカルビル、置換ヒドロカルビル、ヘテロ原子に連結した一価基であるか、または、Ｒ１４およびＲ１５が合一して環を形成し、および
置換ヒドロカルビル基の置換基が不活性官能基の群から選択される。
【手続補正４】
【補正対象書類名】明細書
【補正対象項目名】００６６
【補正方法】変更
【補正の内容】
【００６６】
（比較例Ａ）
Ｅｔ３Ａｌ２Ｃｌ３を添加しなかったことを除いて、対照実験を実施例１と同じように実施した。ポリマーは得られなかった。
以下に、本発明の好ましい態様を示す。
［１］  担持オレフィン重合前駆物質の形成方法であって、式Ｒ１ｎＭの有機金属化合物と、ヒドロキシル基を有する無機酸化物またはヒドロキシル基を有する有機ポリマーである担体と、活性化されたときに活性オレフィン重合触媒を形成する、第８〜１０族遷移金属と中性二座配位子との錯体とを接触させる工程を含み、
上式中、
各Ｒ１は、独立に水素、ヒドロカルビルまたは置換ヒドロカルビルであり、
ｎは２〜４の整数であり、およびＭの酸化数であり、
Ｍは金属であり、ならびに
前記中性二座配位子は、前記有機金属化合物と容易に反応する官能基を含有しないこと、
前記担体は担体−活性剤を含有しないこと、および
前記前駆物質は不活性であること
を条件とすることを特徴とする方法。
［２］  前記中性二座配位子が、
【化３】
2008531835.tif 000003
であり、
上式中、
ＺはＯまたはＮ−Ｒ１３であり、
Ｒ１３およびＲ１６は、イミノ窒素原子に結合した原子が、該原子に結合した少なくとも２個の炭素原子を有することを条件とする、それぞれ独立にヒドロカルビルまたは置換ヒドロカルビルであり、
Ｒ１４およびＲ１５は、それぞれ独立に水素、ヒドロカルビル、置換ヒドロカルビル、不活性官能基、ヘテロ原子に連結した一価基であるか、または、Ｒ１４およびＲ１５が合一して環を形成し、および
前記置換ヒドロカルビル基の置換基は不活性官能基の群から選択される
ことを特徴とする［１］に記載の方法。
［３］  前記二座配位子が、
【化４】
2008531835.tif 000004
であることを特徴とする［２］に記載の方法。
［４］  前記担持オレフィン重合前駆物質を活性化して、活性化された担持重合触媒を生成する工程をさらに含むことを特徴とする、［１］、［２］または［３］のいずれか一項に記載の方法。
［５］  前記活性化担持重合触媒を少なくとも１種の重合性オレフィンと接触させてポリオレフィンを生成する工程をさらに含むことを特徴とする、［４］に記載の方法。
［６］  ［１］〜［４］のいずれか一項に記載の方法の生成物。